(57)【要約】【課題】コンテンツ再生装置において、目的のコンテンツを示すコンテンツ情報を容易に見つけ出すことができるようにする。【解決手段】コンテンツ再生装置は、コンテンツ情報を取得し（＃１）、そのコンテンツ情報が録画コンテンツのものであれば（＃２でＹＥＳ）、そのコンテンツ情報を録画リスト表示用テーブル２１に格納し（＃３）、そのコンテンツ情報がダウンロードコンテンツのものであれば（＃４でＹＥＳ）、そのコンテンツ情報をダウンロードリスト表示用テーブル２２に格納し（＃５）、そして、これら録画リスト表示用テーブル２１及びダウンロードリスト表示用テーブル２２に基いて、録画リスト（放送局から配信されるテレビ放送に基くテレビ番組を録画したコンテンツについてのコンテンツリスト）、及びダウンロードリスト（通信ネットワークを介してダウンロードして記憶したコンテンツについてのコンテンツリスト）を表示する（＃８）。【選択図】図４
2008311823.tif 000002
【特許請求の範囲】
【請求項１】
コンテンツを再生する再生手段と、画像を表示する表示手段と、前記再生手段により再生可能なコンテンツを示すコンテンツ情報の一覧から成るコンテンツリストの前記表示手段による表示を制御する表示制御手段と、を備えるコンテンツ再生装置において、
前記表示制御手段は、前記コンテンツリストとして、放送局から配信されるテレビ放送に基くテレビ番組を録画したコンテンツについてのコンテンツリストである録画リストと、通信ネットワークを介してダウンロードして記憶したコンテンツについてのコンテンツリストであるダウンロードリストと、を分別して前記表示手段に表示するように制御する、
ことを特徴とするコンテンツ再生装置。
【請求項２】
前記表示制御手段は、
前記録画リストについては、前記コンテンツ情報をコンテンツの録画日順に並べて前記表示手段に表示し、
前記ダウンロードリストについては、前記コンテンツ情報をコンテンツのジャンル別に並べて前記表示手段に表示する、
ことを特徴とする請求項１に記載のコンテンツ再生装置。
【請求項３】
前記表示制御手段は、前記録画リストと前記ダウンロードリストの両方を並べて前記表示手段に表示する、
ことを特徴とする請求項２に記載のコンテンツ再生装置。
【請求項４】
前記表示制御手段は、ユーザによる操作に応じて、前記録画リストと前記ダウンロードリストのいずれか一方を選択的に前記表示手段に表示する、
ことを特徴とする請求項２に記載のコンテンツ再生装置。
【発明の詳細な説明】
【技術分野】
【０００１】
本発明は、画像や音楽などのコンテンツを再生するコンテンツ再生装置に関するものである。
【背景技術】
【０００２】
従来から、画像や音楽などのコンテンツを再生するコンテンツ再生装置において、放送局から配信されるテレビ放送を受信して、そのテレビ放送に基くテレビ番組のコンテンツを記憶（録画）すると共に、通信ネットワークを介してコンテンツをダウンロードして、そのダウンロードしたコンテンツを記憶し、そして、それら記憶したコンテンツを再生するようにしたものがある。また、このようなコンテンツ再生装置において、再生可能なコンテンツを示すコンテンツ情報（コンテンツのタイトル等の情報）の一覧から成るコンテンツリストを表示し、ユーザによりコンテンツリストの中から任意のコンテンツ情報を選択する操作がなされると、その選択されたコンテンツ情報に該当するコンテンツを再生するようにしたものがある。
【０００３】
このようなコンテンツ再生装置では、コンテンツリストは、録画コンテンツ（放送局から配信されるテレビ放送に基くテレビ番組を記憶（録画）したコンテンツ）を示すコンテンツ情報とダウンロードコンテンツ（通信ネットワークを介してダウンロードして記憶したコンテンツ）を示すコンテンツ情報が分別されず、録画コンテンツを示すコンテンツ情報とダウンロードコンテンツを示すコンテンツ情報が同じコンテンツリスト内に混在した状態で表示されるようになっている。
【０００４】
一方、コンテンツ保存部に保存されているコンテンツの閲覧の指示を受けた際に、コンテンツに付与されるファイル名を含む保存管理テーブルの一覧を、保存されているコンテンツのメニューとして出力し、ユーザにより選択されたファイルに対応したファイル名を参照して、コンテンツ保存部に保存されているコンテンツを再生するようにしたコンテンツ管理方式が知られている（例えば特許文献１参照）。この特許文献１のコンテンツ管理方式では、保存管理テーブルには、コンテンツのジャンルを示すキーワードと、そのキーワードの配信日付と、コンテンツに同じキーワードが複数存在する場合に付与される一連番号と、コンテンツに付与されるファイル名が記録されている。
【特許文献１】特開２００３−１０８５９０号公報
【発明の開示】
【発明が解決しようとする課題】
【０００５】
ところが、上述した従来のコンテンツ再生装置においては、コンテンツリストは、録画コンテンツを示すコンテンツ情報とダウンロードコンテンツを示すコンテンツ情報が混在した状態で表示されるため、コンテンツリストの中から、再生しようとする目的のコンテンツを示すコンテンツ情報を見つけ出すのが容易ではない。このため、コンテンツリストの中から目的のコンテンツを示すコンテンツ情報を選択するのに時間を要してしまい、目的のコンテンツを素早く再生することができず、使い勝手が悪かった。なお、上述した特許文献１に開示の内容を適用したとしても、上記の問題を解決することはできない。
【０００６】
本発明は、上記課題を解決するためになされたものであり、目的のコンテンツを示すコンテンツ情報を容易に見つけ出すことができるコンテンツ再生装置を提供することを目的とする。
【課題を解決するための手段】
【０００７】
上記目的を達成するために請求項１の発明は、コンテンツを再生する再生手段と、画像を表示する表示手段と、再生手段により再生可能なコンテンツを示すコンテンツ情報の一覧から成るコンテンツリストの表示手段による表示を制御する表示制御手段と、を備えるコンテンツ再生装置において、表示制御手段は、コンテンツリストとして、放送局から配信されるテレビ放送に基くテレビ番組を録画したコンテンツについてのコンテンツリストである録画リストと、通信ネットワークを介してダウンロードして記憶したコンテンツについてのコンテンツリストであるダウンロードリストと、を分別して表示手段に表示するように制御するものである。
【０００８】
請求項２の発明は、請求項１に記載のコンテンツ再生装置において、表示制御手段は、録画リストについては、コンテンツ情報をコンテンツの録画日順に並べて表示手段に表示し、ダウンロードリストについては、コンテンツ情報をコンテンツのジャンル別に並べて表示手段に表示するものである。
【０００９】
請求項３の発明は、請求項２に記載のコンテンツ再生装置において、表示制御手段は、録画リストとダウンロードリストの両方を並べて表示手段に表示するものである。
【００１０】
請求項４の発明は、請求項２に記載のコンテンツ再生装置において、表示制御手段は、ユーザによる操作に応じて、録画リストとダウンロードリストのいずれか一方を選択的に表示手段に表示するものである。
【発明の効果】
【００１１】
請求項１の発明によれば、コンテンツリストは、録画コンテンツ（放送局から配信されるテレビ放送に基くテレビ番組を記憶したコンテンツ）についてのコンテンツリストである録画リストと、ダウンロードコンテンツ（通信ネットワークを介してダウンロードして記憶したコンテンツ）についてのコンテンツリストであるダウンロードリストと、に分別して表示される。従って、コンテンツリストの中から、再生しようとする目的のコンテンツを示すコンテンツ情報を容易に見つけ出すことができる。これにより、目的のコンテンツを素早く再生することができ、使い勝手が向上する。
【００１２】
請求項２の発明によれば、録画コンテンツを示すコンテンツ情報については、コンテンツの録画日順に並べて表示され、ダウンロードコンテンツを示すコンテンツ情報については、コンテンツのジャンル別に並べて表示されるため、目的のコンテンツを示すコンテンツ情報をより容易に見つけ出すことができ、より使い勝手が向上する。
【００１３】
請求項３の発明によれば、録画リストとダウンロードリストの両方が同時に表示されるため、より使い勝手が向上する。
【００１４】
請求項４の発明によれば、ユーザの操作に応じて、録画リストとダウンロードリストのいずれか一方が表示されるため、より使い勝手が向上する。
【発明を実施するための最良の形態】
【００１５】
以下、本発明を具体化した実施形態によるコンテンツ再生装置について図面を参照して説明する。図１は、本実施形態によるコンテンツ再生装置と通信ネットワークとの接続構成を示す。コンテンツ再生装置１は、ＬＡＮ２に接続されている。ＬＡＮ２は、例えば家庭内のホームネットワークであり、インターネット３に接続されている。また、ＬＡＮ２には、複数のコンテンツ供給装置４ａ、４ｂ、４ｃが接続されている。つまり、コンテンツ再生装置１及び複数のコンテンツ供給装置４ａ、４ｂ、４ｃは、ＬＡＮ２を介して、インターネット３に接続されている。また、コンテンツ再生装置１と複数のコンテンツ供給装置４ａ、４ｂ、４ｃとは、ＬＡＮ２を介して、相互に通信可能に接続されている。
【００１６】
コンテンツ再生装置１は、画像や音楽などのコンテンツを再生する装置であり、画像を表示する表示手段であるディスプレイ１１と、音声を出力するスピーカ１２と、コンテンツ再生装置１の動作を指示するためにユーザにより操作されるリモコン（リモートコントローラ）１３等を備えている。コンテンツ再生装置１は、放送局から配信されるテレビ放送信号を受信して、そのテレビ放送信号に基くテレビ番組のコンテンツを記憶（録画）すると共に、インターネット３上のコンテンツ供給サーバ５（以下、サーバと略す）からインターネット３及びＬＡＮ２を介してコンテンツをダウンロードして、そのダウンロードしたコンテンツを記憶し、そして、それら記憶したコンテンツを再生するようになっている。また、コンテンツ再生装置１は、コンテンツ供給装置４ａ、４ｂ、４ｃからＬＡＮ２を介してコンテンツの供給を受けて、そのコンテンツを再生することもできる。
【００１７】
コンテンツ供給装置４ａ、４ｂ、４ｃは、画像や音楽などのコンテンツを供給する装置である。コンテンツ供給装置４ａ、４ｂ、４ｃは、放送局から配信されるテレビ放送信号を受信して、そのテレビ放送信号に基くテレビ番組のコンテンツを録画（記憶）すると共に、インターネット３上のサーバ５からインターネット３及びＬＡＮ２を介してコンテンツをダウンロードして、そのダウンロードしたコンテンツを記憶し、そして、コンテンツ再生装置１からの要求を受けて、それら記憶したコンテンツをＬＡＮ２を介してコンテンツ再生装置１に供給するようになっている。
【００１８】
図２は、コンテンツ再生装置１の電気的ブロック構成を示す。コンテンツ再生装置１は、上述の構成に加え、コンテンツ再生装置１を制御するためのＣＰＵ等からなる制御部（再生手段、表示制御手段）１４と、チューナ１５と、通信部１６と、ＡＶ処理部１７と、コンテンツ記憶部１８と、メモリ１９と、リモコン受信部２０等を備えている。
【００１９】
チューナ１５は、制御部１４による制御のもと、放送局から配信されるテレビ放送信号を受信し、その受信した信号を復調する。通信部１６は、インターネット３上のサーバ５との間、及びコンテンツ供給装置４ａ、４ｂ、４ｃとの間で通信を行うためのものであり、制御部１４による制御のもと、ＬＡＮ２を介して各種信号を送受信する。
【００２０】
ＡＶ処理部１７は、制御部１４による制御のもと、チューナ１５により復調した信号をデコード処理して、テレビ放送信号に基くテレビ番組のコンテンツの画像信号、音声信号、タイトル情報等を生成する。また、ＡＶ処理部１７は、制御部１４による制御のもと、通信部１６により受信した信号をデコード処理して、インターネット３上のサーバ５からダウンロードしたコンテンツの画像信号、音声信号、タイトル情報、ジャンル情報等、及び、コンテンツ供給装置４ａ、４ｂ、４ｃから供給されたコンテンツの画像信号、音声信号等を生成する。また、ＡＶ処理部１７は、制御部１４による制御のもと、再生可能なコンテンツを示すコンテンツ情報の一覧から成るコンテンツリスト等、各種画像をディスプレイ１１に表示するための画像信号を生成する。
【００２１】
コンテンツ記憶部１８は、制御部１４による制御のもと、テレビ放送信号に基くテレビ番組のコンテンツ、インターネット３上のサーバ５からダウンロードしたコンテンツ、及び、それらのコンテンツについてのコンテンツ情報等を記憶する。メモリ１９は、制御部１４による制御のもと、録画リスト（放送局から配信されるテレビ放送に基くテレビ番組を記憶（録画）したコンテンツについてのコンテンツリスト）を表示するための録画リスト表示用テーブル２１と、ダウンロードリスト（インターネット３上のサーバ５からダウンロードして記憶したコンテンツについてのコンテンツリスト）を表示するためのダウンロードリスト表示用テーブル２２とを記憶する。
【００２２】
リモコン受信部２０は、リモコン１３から送出された赤外線コード信号を受光し、その受光した信号を電気信号に変換する。ディスプレイ１１は、制御部１４による制御のもと、画像信号が供給されることにより、その画像信号による画像を表示する。スピーカ１２は、制御部１４による制御のもと、音声信号が供給されることにより、その音声信号による音声を出力する。
【００２３】
制御部１４は、リモコン受信部２０により受信した信号を基にリモコン１３の操作内容を判断し、リモコン１３の操作に応じて、コンテンツの記憶、再生可能なコンテンツを示すコンテンツ情報の一覧から成るコンテンツリストの表示、コンテンツの再生等、コンテンツ再生装置１の各種動作を制御する。
【００２４】
コンテンツの記憶は、放送局から配信されるテレビ放送信号に基くテレビ番組のコンテンツ、及び、インターネット３上のサーバ５からインターネット３及びＬＡＮ２を介してダウンロードしたコンテンツについて行われる。
【００２５】
放送局から配信されるテレビ放送信号に基くテレビ番組のコンテンツの記憶は、制御部１４による制御のもと、以下のようにして行われる。すなわち、制御部１４は、チューナ１５により所定のチャンネルのテレビ放送信号を受信させて、チューナ１５により復調されたテレビ放送信号をＡＶ処理部１７によりデコード処理させ、そして、そのデコード処理により生成されたコンテンツの画像信号、音声信号をコンテンツ記憶部１８に記憶する。これにより、放送局から配信されるテレビ放送信号に基くテレビ番組のコンテンツが記憶（録画）される。
【００２６】
インターネット３上のサーバ５からインターネット３及びＬＡＮ２を介してダウンロードしたコンテンツの記憶は、制御部１４による制御のもと、以下のようにして行われる。すなわち、制御部１４は、通信部１６を介してインターネット３上のサーバ５と通信を行って、インターネット３上のサーバ５からコンテンツの画像信号、音声信号、タイトル情報、ジャンル情報を含む信号を通信部１６を介して受信し（すなわちコンテンツをダウンロードし）、インターネット３上のサーバ５から通信部１６を介して受信した信号をＡＶ処理部１７によりデコード処理させ、そして、そのデコード処理により生成されたコンテンツの画像信号、音声信号をコンテンツ記憶部１８に記憶する。これにより、インターネット３上のサーバ５からインターネット３及びＬＡＮ２を介してダウンロードしたコンテンツが記憶される。
【００２７】
これらコンテンツの記憶を行ったとき、制御部１４は、記憶したコンテンツに対応付けて、記憶したコンテンツについてのコンテンツ情報をコンテンツ記憶部１８に記憶する。すなわち、記憶したコンテンツが放送局から配信されるテレビ放送信号に基くテレビ番組のコンテンツである場合には、制御部１４は、コンテンツ情報として、記憶したコンテンツのタイトル、記憶したコンテンツの録画日（コンテンツを記憶した日）、記憶したコンテンツが録画コンテンツ（放送局から配信されるテレビ放送に基くテレビ番組を記憶したコンテンツ）であることを示すコンテンツ種類識別データを記憶する。また、記憶したコンテンツがインターネット３上のサーバ５からダウンロードしたコンテンツである場合には、制御部１４は、コンテンツ情報として、記憶したコンテンツのタイトル、記憶したコンテンツのジャンル、記憶したコンテンツがダウンロードコンテンツ（インターネット３上のサーバ５からダウンロードして記憶したコンテンツ）であることを示すコンテンツ種類識別データを記憶する。
【００２８】
コンテンツリストの表示は、制御部１４による制御のもと、以下のようにして行われる。すなわち、制御部１４は、コンテンツ記憶部１８に記憶されているコンテンツ情報（すなわち再生可能なコンテンツについてのコンテンツ情報）に基いて、メモリ１９内に録画リスト表示用テーブル２１及びダウンロードリスト表示用テーブル２２を作成し、それら録画リスト表示用テーブル２１及びダウンロードリスト表示用テーブル２２の情報をＡＶ処理部１７に供給して、ＡＶ処理部１７によりコンテンツリストを表示するための画像信号を生成させ、そして、ＡＶ処理部１７により生成された画像信号をディスプレイ１１に供給する。これにより、コンテンツリストがディスプレイ１１に表示される。このとき、制御部１４は、コンテンツリストとして、録画リストとダウンロードリストとを分別して表示するように制御する。コンテンツリストの表示は、例えば、リモコン１３に設けられたリスト表示ボタンを押下することにより行われる。
【００２９】
コンテンツの再生は、コンテンツ記憶部１８に記憶されているコンテンツ、及び、コンテンツ供給装置４ａ、４ｂ、４ｃに記憶されているコンテンツについて行われる。
【００３０】
コンテンツ記憶部１８に記憶されているコンテンツの再生は、制御部１４による制御のもと、以下のようにして行われる。すなわち、制御部１４は、コンテンツ記憶部１８に記憶されているコンテンツの画像信号、音声信号を読み出して、その画像信号をディスプレイ１１に供給し、また、その音声信号をスピーカ１２に供給する。これにより、コンテンツ記憶部１８に記憶されているコンテンツがディスプレイ１１及びスピーカ１２により再生される。コンテンツ記憶部１８に記憶されているコンテンツの再生は、コンテンツリストを表示しているときに、リモコン１３によりコンテンツリストの中から任意のコンテンツ情報を選択する操作を行うことにより行われ、選択されたコンテンツ情報に該当するコンテンツが再生される。
【００３１】
コンテンツ供給装置４ａ、４ｂ、４ｃに記憶されているコンテンツの再生は、制御部１４による制御のもと、以下のようにして行われる。すなわち、制御部１４は、コンテンツ供給装置４ａ、４ｂ、４ｃと通信を行って、コンテンツ供給装置４ａ、４ｂ、４ｃから、コンテンツ供給装置４ａ、４ｂ、４ｃに記憶されているコンテンツの画像信号、音声信号等を含む信号を通信部１６を介して受信し（すなわちコンテンツの供給を受け）、コンテンツ供給装置４ａ、４ｂ、４ｃから通信部１６を介して受信した信号をＡＶ処理部１７によりデコード処理させる。そして、制御部１４は、そのデコード処理により生成されたコンテンツの画像信号をディスプレイ１１に供給すると共に、そのデコード処理により生成されたコンテンツの音声信号をスピーカ１２に供給する。これにより、コンテンツ供給装置４ａ、４ｂ、４ｃに記憶されているコンテンツがディスプレイ１１及びスピーカ１２により再生される。
【００３２】
図３は、コンテンツリストの表示例を示す。コンテンツリスト５０は、録画リスト６０とダウンロードリスト７０とを含んでおり、録画リスト６０とダウンロードリスト７０とを左右に並べた（すなわち分別した）形態でディスプレイ１１に表示される。録画リスト６０には、録画コンテンツのコンテンツ情報として、録画コンテンツの整理番号、タイトル、録画日が一覧形式で並べて表示される。整理番号は番号欄６１に表示され、タイトルはタイトル欄６２に表示され、録画日は録画日欄６３に表示される。ダウンロードリスト７０には、ダウンロードコンテンツのコンテンツ情報として、ダウンロードコンテンツの整理番号、タイトル、ジャンルが一覧形式で並べて表示される。整理番号は番号欄７１に表示され、タイトルはタイトル欄７２に表示され、ジャンルはジャンル欄７３に表示される。
【００３３】
図４は、上記コンテンツ再生装置１のコンテンツリスト表示動作のフローチャートを示す。コンテンツリスト表示動作において、制御部１４は、まず、コンテンツ記憶部１８に記憶されているコンテンツ情報を読み出して、コンテンツ情報を取得する（＃１）。続いて、制御部１４は、そのコンテンツ情報が録画コンテンツのものであれば（＃２でＹＥＳ）、そのコンテンツ情報を録画リスト表示用テーブル２１に格納し（＃３）、そのコンテンツ情報がダウンロードコンテンツのものであれば（＃４でＹＥＳ）、そのコンテンツ情報をダウンロードリスト表示用テーブル２２に格納する（＃５）。上述のように、コンテンツ情報には、そのコンテンツ情報に該当するコンテンツが録画コンテンツであるか、ダウンロードコンテンツであるかを示すコンテンツ種類識別データが含まれている。制御部１４は、このコンテンツ種類識別データに基いて、コンテンツ情報が録画コンテンツのものであるか、ダウンロードコンテンツのものであるかを判断する。
【００３４】
続いて、制御部１４は、コンテンツ記憶部１８に記憶されている全てのコンテンツ情報を取得完了していなければ（＃６でＮＯ）、コンテンツ記憶部１８に記憶されている残りのコンテンツ情報について、上記＃１以降の処理を繰り返す。すなわち、制御部１４は、コンテンツ記憶部１８に記憶されている全てのコンテンツ情報について、上記＃１〜＃５の処理を行って、コンテンツ記憶部１８に記憶されている全てのコンテンツ情報を、録画リスト表示用テーブル２１、又は、ダウンロードリスト表示用テーブル２２のいずれかに格納する。
【００３５】
そして、制御部１４は、コンテンツ記憶部１８に記憶されている全てのコンテンツ情報を取得完了（すなわち全てのコンテンツ情報を録画リスト表示用テーブル２１、又は、ダウンロードリスト表示用テーブル２２のいずれかに格納）すると（＃６でＹＥＳ）、録画リスト表示用テーブル２１内のコンテンツ情報、及び、ダウンロードリスト表示用テーブル２２内のコンテンツ情報をソートする（＃７）。このとき、制御部１４は、録画リスト表示用テーブル２１内のコンテンツ情報については、コンテンツの録画日順にソートし、ダウンロードリスト表示用テーブル２２内のコンテンツ情報については、コンテンツのジャンル別にソートする。そして、制御部１４は、これら録画リスト表示用テーブル２１及びダウンロードリスト表示用テーブル２２に基いて、録画リスト６０及びダウンロードリスト７０を表示する（＃８）。
【００３６】
このような構成のコンテンツ再生装置１によれば、コンテンツリスト５０は、録画コンテンツについてのコンテンツリストである録画リスト６０と、ダウンロードコンテンツについてのコンテンツリストであるダウンロードリスト７０と、に分別して表示される。従って、ユーザが、コンテンツリスト５０の中から、再生しようとする目的のコンテンツを示すコンテンツ情報を容易に見つけ出すことができる。これにより、目的のコンテンツを素早く再生することができ、使い勝手が向上する。
【００３７】
しかも、録画リスト６０における録画コンテンツを示すコンテンツ情報については、コンテンツの録画日順に並べて表示され、ダウンロードリスト７０におけるダウンロードコンテンツを示すコンテンツ情報については、コンテンツのジャンル別に並べて表示されるため、目的のコンテンツを示すコンテンツ情報をより容易に見つけ出すことができ、より使い勝手が向上する。また、録画リスト６０とダウンロードリスト７０の両方が同時に表示されるため、より使い勝手が向上する。
【００３８】
なお、本発明は、上記実施形態の構成に限られず、種々の変形が可能である。例えば、リモコンに録画リストを表示するためのボタン及びダウンロードリストを表示するためのボタンを設け、それぞれのボタン操作により（すなわちユーザによる操作に応じて）、録画リストとダウンロードリストのいずれか一方を選択的に表示するようにしてもよい。コンテンツ記憶部に記憶されているコンテンツに限られず、コンテンツ供給装置に記憶されているコンテンツ（コンテンツ供給装置から供給されるコンテンツ）について、コンテンツリスト（録画リスト、ダウンロードリスト）を表示するようにしてもよい。録画リスト表示用テーブル及びダウンロードリスト表示用テーブルは、コンテンツリストを表示するときに限られず、コンテンツ記憶部にコンテンツを記憶する都度、作成してもよい。また、コンテンツ再生装置は、ディスプレイ及びスピーカを備えておらず、外部接続されるディスプレイ及びスピーカに画像信号及び音声信号を出力するＳＴＢ（セットトップボックス）タイプのものであってもよい。
【図面の簡単な説明】
【００３９】
【図１】本発明の一実施形態に係るコンテンツ再生装置と通信ネットワークとの接続構成を示す図。
【図２】同コンテンツ再生装置の電気的ブロック構成図。
【図３】同コンテンツ再生装置のコンテンツリストの表示例を示す図。
【図４】同コンテンツ再生装置のコンテンツリスト表示動作を示すフローチャート。
【符号の説明】
【００４０】
１    コンテンツ再生装置
２    ＬＡＮ
３    インターネット
４ａ、４ｂ、４ｃ    コンテンツ供給装置
５    コンテンツ供給サーバ
１１    ディスプレイ（表示手段）
１２    スピーカ
１３    リモコン
１４    制御部（再生手段、表示制御手段）
１５    チューナ
１６    通信部
１７    ＡＶ処理部
１８    コンテンツ記憶部
１９    メモリ
２０    リモコン受信部
２１    録画リスト表示用テーブル
２２    ダウンロードリスト表示用テーブル
５０    コンテンツリスト
６０    録画リスト
６１    番号欄
６２    タイトル欄
６３    録画日欄
７０    ダウンロードリスト
７１    番号欄
７２    タイトル欄
７３    ジャンル欄
【図１】
2008311823.tif 000003
【図２】
2008311823.tif 000004
【図３】
2008311823.tif 000005
【図４】
2008311823.tif 000006